(57)【要約】  本発明は、位置決めされたレーザー加工可能な３Ｄ空気充填型保温通気性チャンネル付き４層生地及びその加工方法を開示し、本発明は、気密性表面布層と気密性底部布層と、を含み、前記気密性表面布層は、上から下へ表地と、環境保全型ｐｕ接着剤層と、差別化熱可塑性ポリウレタン膜と、を含み、前記気密性底部布層は、上から下へ順に差別化熱可塑性ポリウレタン膜と、環境保全型ｐｕ接着剤層と、裏地と、を含み、前記表地には、レーザー視覚認識用レーザー切断点が設けられ、加工するとき、まず気密性表面布層及び気密底布を製造し、その後、生地におけるチャンネルを接着し、最後に、模様及び通気点をレーザー切断で形成することを技術的特徴とする。本発明の効果は、羽毛の代わりにチャンネルにおける空気を用いることで、軽量化させるとともに羽毛抜けを防止し、コストをより削減させ、且つ空気を容易に充填・排出することができ、簡便に収納できる。
2021528574.tif 000002
【特許請求の範囲】
【請求項１】
位置決めされたレーザー加工可能な３Ｄ空気充填型保温通気性チャンネル付き４層生地であって、
気密性表面布層と気密性底部布層と、を含み、前記気密性表面布層は、上から下へ表地と、環境保全型ｐｕ接着剤層と、差別化熱可塑性ポリウレタン膜と、を含み、前記気密性底部布層は、上から下へ順に差別化熱可塑性ポリウレタン膜と、環境保全型ｐｕ接着剤層と、裏地と、を含み、前記表地には、レーザー視覚認識用レーザー切断点が設けられる、ことを特徴とする位置決めされたレーザー加工可能な３Ｄ空気充填型保温通気性チャンネル付き４層生地。
【請求項２】
前記表地は、２０ｄ、３０ｄ、５０ｄ及び７０ｄなどの両面織り布、両面編み布を含み、２０ｄ、３０ｄ、４０ｄ、５０ｄ、７０ｄ、７５ｄ、９０ｄ、１００ｄ、１５０ｄ、２００ｄ及び３００ｄなどの織りテリレン、ナイロン、ラシャ及びその他の弾性生地である、ことを特徴とする請求項１に記載の位置決めされたレーザー加工可能な３Ｄ空気充填型保温通気性チャンネル付き４層生地。
【請求項３】
前記裏地は、３０ｄ、５０ｄ及び７５ｄの織り柔軟糸生地又は２０ｄ、３０ｄ、５０ｄ及び７５ｄのシングルジャージ生地を含む、ことを特徴とする請求項１に記載の位置決めされたレーザー加工可能な３Ｄ空気充填型保温通気性チャンネル付き４層生地。
【請求項４】
環境保全型ｐｕ接着剤層を介して、それぞれ表地と差別化熱可塑性ポリウレタン膜と、裏地と差別化熱可塑性ポリウレタン膜を接着して密着させ、気密性表面布層及び気密性底部布層を製造するステップ（１）と、
該位置決めされたレーザー加工可能な３Ｄ空気充填型保温通気性チャンネル付き４層生地に求められる模様に応じて、彫刻凸版プロセスを用い、所要形状に合致する凸版金型を予め製作するステップ（２）と、
３Ｄ接着機で気密性表面布層及び気密性底部布層をそれぞれ凸版金型の上下両側に案内し、３Ｄ接着機を１００〜２００℃に加熱し、所定の温度に達した後３Ｄ接着機に圧力を印加して凸版金型を作動させ、０．１〜１０ｓ後、気密性表面布層の表面と気密性底部布層の表面とを圧着し、圧着するときに特定箇所に５〜８ｃｍの開口を残して開口箇所に吸気弁を取り付けるステップ（３）と、
気密性表面布層の表面及び気密性底部布層の表面がいずれも差別化熱可塑性ポリウレタン膜であり、加熱加圧されると熱融着して接着し、次に自然冷却又は冷却ローラの補助によって、２層の差別化熱可塑性ポリウレタン膜の熱融着接着部を冷却し、高強度の粘着熔融を実現するステップ（４）と、
レーザー視覚認識装置によって表地においてレーザー切断点を認識し、これに基づいて該位置決めされたレーザー加工可能な３Ｄ空気充填型保温通気性チャンネル付き４層生地を切断し、所要の形状、パターン及び通気点を取得するステップ（５）と、を含む、ことを特徴とする請求項１〜３のいずれか一項に記載の位置決めされたレーザー加工可能な３Ｄ空気充填型保温通気性チャンネル付き４層生地を製造する加工方法。
【請求項５】
前記凸版金型における彫刻パターンは、ドット、一字、横棒、波、鋭い先端つきの横棒、又は八字の形状であり、前記凸版金型は、アルミニウム材質平板及び鉄又は合金製ローラである、ことを特徴とする請求項４に記載の位置決めされたレーザー加工可能な３Ｄ空気充填型保温通気性チャンネル付き４層生地の加工方法。
【発明の詳細な説明】
【技術分野】
【０００１】
本発明は、生地加工に関し、具体的には、位置決めされたレーザー加工可能な３Ｄ空気充填型保温通気性チャンネル付き４層生地及びその加工方法を含む。
【背景技術】
【０００２】
ダウンコート（ｄｏｗｎ  ｃｏａｔ）は、羽毛充填材が内部に充填されたトップスであり、外形が大きくて丸いものであり、一般的に、ケワタガモの綿毛の量が半分以上を占めるとともに、いくつかの小さな羽毛が混ぜられ、ケワタガモの綿毛をきれいに洗浄し、高温消毒をした後、服に充填すれば、ダウンコートとなり、ダウンコートは、保温性が最も良好なものである。寒冷地域の人々により着用されることが多く、極地探検隊の隊員にも一般的に使用されている。
【０００３】
ダウンコート（ｄｏｗｎ  ｃｏａｔ）は、羽毛充填材が内部に充填されたトップスであり、外形が大きくて丸いものである。ダウンコートは、一般的に、ケワタガモの綿毛の量が半分以上を占めるとともに、いくつかの小さな羽毛が混ぜられ、ケワタガモの綿毛をきれいに洗浄し、高温消毒をした後、服に充填すれば、ダウンコートとなる。ダウンコート用の生地は、非常に重要な材料であるが、従来のダウンコート生地には、耐久性が不十分であり、メンテナンスしにくく、抗皺・ノーアイロンの特性を具備せず、駆虫作用を具備せず、着心地が悪く、アルファベット、ｌｏｇｏ、形状などをうまく表現できないことによりファッション性が不十分であり、製造には手間がかかるという欠点が存在する。この欠点に対して、３Ｄ接着チャンネル付き４層保温生地の設計は、非常に必要なことである。
【発明の概要】
【発明が解決しようとする課題】
【０００４】
発明の目的
本発明は、従来技術の欠点に対して、位置決めされたレーザー加工可能な３Ｄ空気充填型保温通気性チャンネル付き４層生地及びその加工方法を提供することを目的とする。
【課題を解決するための手段】
【０００５】
技術案
本発明は、前記位置決めされたレーザー加工可能な３Ｄ空気充填型保温通気性チャンネル付き４層生地であって、気密性表面布層と、気密性底部布層と、を含み、前記気密性表面布層は、上から下へ表地と、環境保全型ｐｕ接着剤層と、差別化熱可塑性ポリウレタン膜と、を含み、前記気密性底部布層は、上から下へ順に差別化熱可塑性ポリウレタン膜と、環境保全型ｐｕ接着剤層と、裏地と、を含み、前記表地には、レーザー視覚認識用レーザー切断点が設けられる。
【０００６】
好ましくは、前記表地は、２０ｄ、３０ｄ、５０ｄ及び７０ｄなどの両面織り布、両面編み布を含み、２０ｄ、３０ｄ、４０ｄ、５０ｄ、７０ｄ、７５ｄ、９０ｄ、１００ｄ、１５０ｄ、２００ｄ及び３００ｄなどの織りテリレン、ナイロン、ラシャ及びその他の弾性生地であってもよい。
【０００７】
好ましくは、前記裏地は、３０ｄ、５０ｄ及び７５ｄの織り柔軟糸生地又は２０ｄ、３０ｄ、５０ｄ及び７５ｄのシングルジャージ生地を含む。
【０００８】
前記位置決めされたレーザー加工可能な３Ｄ空気充填型保温通気性チャンネル付き４層生地を製造する加工方法であって、
環境保全型ｐｕ接着剤層を介して、それぞれ表地と差別化熱可塑性ポリウレタン膜ポリウレタン膜と、裏地と差別化熱可塑性ポリウレタン膜とを接着して密着させ、気密性表面布層及び気密性底部布層を製造するステップ（１）と、
該位置決めされたレーザー加工可能な３Ｄ空気充填型保温通気性チャンネル付き４層生地に求められる模様に応じて、彫刻凸版プロセスを用い、所要形状に合致する凸版金型を予め製作するステップ（２）と、
３Ｄ接着機で気密性表面布層及び気密性底部布層をそれぞれ凸版金型の上下両側に案内し、３Ｄ接着機を１００〜２００℃に加熱し、所定の温度に達した後３Ｄ接着機に圧力を印加して凸版金型を作動させ、０．１〜１０ｓ後、気密性表面布層の表面と気密性底部布層の表面とを圧着し、圧着するときに特定箇所に５〜８ｃｍの開口を残して開口箇所に吸気弁を取り付けるステップ（３）と、
気密性表面布層の表面及び気密性底部布層の表面がいずれも差別化熱可塑性ポリウレタン膜であり、加熱加圧されると熱融着して接着し、次に自然冷却又は冷却ローラの補助によって、２層の差別化熱可塑性ポリウレタン膜の熱融着接着部を冷却し、高強度の粘着熔融を実現するステップ（３）と、
レーザー視覚認識装置によって表地においてレーザー切断点を認識し、これに基づいて該位置決めされたレーザー加工可能な３Ｄ空気充填型保温通気性チャンネル付き４層生地を切断し、所要の形状、パターン及び通気点を取得するステップ（５）と、を含むことを特徴とする。
【０００９】
好ましくは、前記凸版金型における彫刻パターンは、ドット、一字、横棒、波、鋭い先端つきの横棒及び八字などの形状であってもよく、前記凸版金型は、アルミニウム材質平板及び鉄又は合金製ローラであってもよい。
【発明の効果】
【００１０】
従来技術に比べて、本発明は、以下の有益な効果を有する。
（１）羽毛の代わりに空気を保温基材とするため、保温効果が羽毛より優れ、且つより軽くなり、製品コストがより低くなり、また、羽毛抜けの問題も解決する。
（２）空気を必要に応じて充填したり排出したりすることができ、簡便に収納でき、空気を排出したものが保温効果を失って、春や秋の日常着とすることができる。
（３）レーザー切断点と組み合わせることによって、レーザー視覚認識による自動精密切断を実現し、より優しくて美しい模様を実現し、生地の外観性をより向上させるとともに、極めて小さな切断点を切断することができ、それによって、保温気密効果を確保するとともに、湿気を排出しやすく、気密保温と通気の２重効果を有する。
【図面の簡単な説明】
【００１１】
【図１】本発明の位置決めされたレーザー加工可能な３Ｄ空気充填型保温通気性チャンネル付き４層生地及びその加工方法に係る位置決めされたレーザー加工可能な３Ｄ空気充填型保温通気性チャンネル付き４層生地の断面構造の模式図である。
【発明を実施するための形態】
【００１２】
以下、図面を参照しながら、本発明の技術案について詳細に説明するが、本発明の特許請求の範囲は、前記実施例に限定されるものではない。
【００１３】
位置決めされたレーザー加工可能な３Ｄ空気充填型保温通気性チャンネル付き４層生地であって、気密性表面布層と、気密性底部布層と、を含み、気密性表面布層は、上から下へ表地と、環境保全型ｐｕ接着剤層と、差別化熱可塑性ポリウレタン膜と、を含み、気密性底部布層は、上から下へ順に差別化熱可塑性ポリウレタン膜と、環境保全型ｐｕ接着剤層と、裏地と、を含み、表地には、レーザー視覚認識用レーザー切断点が設けられる。
【００１４】
表地は、２０ｄ、３０ｄ、５０ｄ及び７０ｄなどの両面織り布、両面編み布を含み、２０ｄ、３０ｄ、４０ｄ、５０ｄ、７０ｄ、７５ｄ、９０ｄ、１００ｄ、１５０ｄ、２００ｄ及び３００ｄなどの織りテリレン、ナイロン、ラシャ及び他の弾性生地であってもよい。
【００１５】
裏地は、３０ｄ、５０ｄ及び７５ｄの織り柔軟糸生地又は２０ｄ、３０ｄ、５０ｄ及び７５ｄのシングルジャージ生地を含む。
従来技術に比べて、本発明は、以下の有益な効果を有する。
（１）羽毛の代わりに空気を保温基材とするため、保温効果が羽毛より優れ、且つより軽くなり、製品コストがより低くなり、また、羽毛抜けの問題も解決する。
（２）空気を必要に応じて充填したり排出したりすることができ、簡便に収納でき、空気を排出したものが保温効果を失って、春や秋の日常着とすることができる。
（３）レーザー切断点と組み合わせることによって、レーザー視覚認識による自動精密切断を実現し、より優しくて美しい模様を実現し、生地の外観性をより向上させるとともに、極めて小さな切断点を切断することができ、それによって、保温気密効果を確保するとともに、湿気を排出しやすく、気密保温と通気の２重効果を有する。
【００１６】
また、該位置決めされたレーザー加工可能な３Ｄ空気充填型保温通気性チャンネル付き４層生地に用いられる差別化熱可塑性ポリウレタン膜そのものは、従来のポリウレタ熱可塑性よりも優れた接着性及び密閉性を有する。
【００１７】
前記位置決めされたレーザー加工可能な３Ｄ空気充填型保温通気性チャンネル付き４層生地を製造する加工方法であって、
環境保全型ｐｕ接着剤層を介して、それぞれ表地と差別化熱可塑性ポリウレタン膜と、裏地と差別化熱可塑性ポリウレタン膜とを接着して密着させ、気密性表面布層及び気密性底部布層を製造するステップ（１）と、
該位置決めされたレーザー加工可能な３Ｄ空気充填型保温通気性チャンネル付き４層生地における模様要求に従って、彫刻凸版プロセスを用い、所要形状に合致する凸版金型を予め製作するステップ（２）と、
３Ｄ接着機で気密性表面布層及び気密性底部布層をそれぞれ凸版金型の上下両側に案内し、３Ｄ接着機を１００〜２００℃に加熱し、所定の温度に達した後３Ｄ接着機に圧力を印加して凸版金型を作動させ、０．１〜１０ｓ後、気密性表面布層の表面と気密性底部布層の表面とを圧着し、圧着するときに特定箇所に５〜８ｃｍの開口を残して開口箇所に吸気弁を取り付けるステップ（３）と、
気密性表面布層の表面及び気密性底部布層の表面がいずれも差別化熱可塑性ポリウレタン膜であり、加熱加圧後に熱融着して接着し、次に自然冷却又は冷却ローラの補助によって、２層の差別化熱可塑性ポリウレタン膜の熱融着接着部を冷却し、高強度の粘着熔融を実現するステップ（４）と、
レーザー視覚認識装置によって表地においてレーザー切断点を認識し、これに基づいて該位置決めされたレーザー加工可能な３Ｄ空気充填型保温通気性チャンネル付き４層生地を切断し、所要の形状、パターン及び通気点を取得するステップ（５）とことを特徴とする。
【００１８】
凸版金型における彫刻パターンは、ドット、一字、横棒、波、鋭い先端つきの横棒及び八字などの形状であってもよく、凸版金型は、アルミニウム材質平板及び鉄又は合金製ローラであってもよい。
【００１９】
上記加工プロセスで加工することで、生産の自動化が実現され、生産効率が高く、且つステップが簡単であり、品質の制御性が高く、それにより、不良品率を効果的に低下することができる。
【００２０】
前記のように、特定の好適な実施例を参照しながら、本発明を説明したが、本発明に対する限定として解釈してはいけない。添付の特許請求の範囲に定義される本発明の要旨及び範囲から逸脱することなく、形態及び詳細に対して様々な変化を行うことができる。
【図１】
2021528574.tif 000003
【国際調査報告】
2021528574.tif 000004
2021528574.tif 000005
2021528574.tif 000006
2021528574.tif 000007